【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
角膜を有する眼に欠陥補正処方を課すためのシステムであって、
該システムは、
該眼の光学収差を測定するように構成される波面システムと、
該波面システムと連結されるプロセッサであって、該プロセッサは有形媒体を含み、該有形媒体は、実行されたときに、
該眼のための該欠陥補正処方を生成するように、該測定された収差を処理することと、
該欠陥補正処方に対応する切除プロファイルを決定することと、
該切除プロファイルを少なくとも第１セグメントプロファイルと第２セグメントプロファイルとに分割することであって、該第２セグメントプロファイルは、該角膜に少なくとも１つの高次光学補正を課すための切除に対応する、ことと、
該角膜に該切除プロファイルを課すように、レーザエネルギー切除の順序を決定することであって、該順序は、該第２セグメントプロファイルに対応する切除を適用する前に、該第１セグメントプロファイルに対応する切除を適用することを含む、ことと
を該プロセッサに行われる命令を含む、プロセッサと、
該プロセッサと連結される眼修正アセンブリであって、該角膜に該切除プロファイルを課すよう、決定された順序のレーザエネルギーを該角膜に向かって方向付けるための切除レーザを含む、眼修正アセンブリと
を含む、システム。
【請求項２】
前記決定された順序は、該順序の終了時に、前記第２セグメントプロファイルに対応する切除を適用することを含む、請求項１に記載のシステム。
【請求項３】
前記プロセッサと連結されるディスプレイをさらに含む、請求項１に記載のシステム。
【請求項４】
前記命令はさらに、前記プロセッサに、前記ディスプレイ上に前記第１セグメントプロファイルを表示させる、請求項３に記載のシステム。
【請求項５】
前記命令はさらに、前記プロセッサに、前記ディスプレイ上に前記第２セグメントプロファイルを表示させる、請求項３に記載のシステム。
【請求項６】
前記命令はさらに、前記プロセッサに、前記ディスプレイ上に予測された最終角膜プロファイルを表示させる、請求項３に記載のシステム。
【請求項７】
前記第２セグメントプロファイルは、ゼルニケ多項式を使用して特徴付けられる、請求項１に記載のシステム。
【請求項８】
角膜を有する眼に欠陥補正処方を課すためのシステムであって、
該システムは、
該眼の光学収差を測定するように構成される収差測定システムと、
該収差測定システムと連結されるプロセッサであって、該プロセッサは、有形媒体を含み、該有形媒体は、実行されたときに、
該眼のための該欠陥補正処方を生成するように、該測定された収差を処理することと、
該欠陥補正処方に対応するプロファイルを決定することと、
該プロファイルを少なくとも第１セグメントプロファイルと第２セグメントプロファイルとに分割することであって、該第２セグメントプロファイルは、該角膜に少なくとも１つの高次光学補正を課すためのレーザ改変に対応する、ことと、
該角膜に該プロファイルを課すように、レーザエネルギーの順序を決定することであって、該第２セグメントプロファイルに対応する改変を適用する前に、該第１セグメントプロファイルに対応する改変を適用することを含む、ことと
を該プロセッサに行わせる命令を含む、プロセッサと、
該プロセッサと連結される眼修正アセンブリであって、該角膜に該プロファイルを課すように、該決定された順序のレーザエネルギーを該角膜に向かって方向付けるためのレーザを含む、眼修正アセンブリと
を含む、システム。
【手続補正２】
【補正対象書類名】明細書
【補正対象項目名】００１８
【補正方法】変更
【補正の内容】
【００１８】
本発明の本質および利点を完全に理解するために、以下の詳細な説明および添付の図を参照されたい。本発明の他の局面、目的および利点は、以下の図および詳細な説明から明らかであろう。
例えば、本発明は以下の項目を提供する。
（項目１）
眼に欠陥補正処方を課すように、眼の角膜の切除を順序付けるための方法であって、
該欠陥補正処方を提供することであって、該処方は、高次光学補正を含む、ことと、
該角膜に該処方を課すように切除プロファイルを決定することであって、該切除プロファイルは、第１セグメントプロファイルと、第２セグメントプロファイルとを含み、該第２セグメントプロファイルは、少なくとも１つの高次光学補正に対応する、ことと、
該角膜に該切除プロファイルを課すようにレーザエネルギー切除の順序を決定することであって、該順序は、該第２セグメントプロファイルに対応する切除を適用する前に、該第１セグメントプロファイルに対応する切除を適用することを含む、ことと
を含む、方法。
（項目２）
上記第１セグメントプロファイルを表示することをさらに含む、項目１に記載の方法。
（項目３）
上記第２セグメントプロファイルを表示することをさらに含む、項目１に記載の方法。
（項目４）
上記順序を決定することは、上記順序の終了時に、上記第２セグメントプロファイルに対応する切除を配置することを含む、項目１に記載の方法。
（項目５）
予測された最終角膜プロファイルを表示することをさらに含む、項目１に記載の方法。
（項目６）
上記第２セグメントプロファイルは、ゼルニケ多項式を使用して特徴付けられる、項目１に記載の方法。
（項目７）
上記眼の光学収差の波面高度マップを提供することと、
上記波面高度マップに応じて上記欠陥補正処方を決定することと
をさらに含む、項目１に記載の方法。
（項目８）
上記欠陥補正処方を決定することは、
上記波面マップに対応する第１の複数の波面ゼルニケ係数を決定することと、
上記欠陥補正処方に対応する第２の複数の波面ゼルニケ係数を選択することと
を含む、項目７に記載の方法。
（項目９）
角膜を有する眼に欠陥補正処方を課すためのシステムであって、
該眼の光学収差を測定するように構成される波面システムと、
該波面システムと連結されるプロセッサであって、実行された時に、該プロセッサに、
該眼のための該欠陥補正処方を生成するように、該測定された収差を処理させ、
該欠陥補正処方に対応する切除プロファイルを決定させ、
該切除プロファイルを少なくとも第１セグメントプロファイルと第２セグメントプロファイルとに分割させ、該第２セグメントプロファイルは、該角膜に少なくとも１つの高次光学補正を課すための切除に対応し、
該角膜に該切除プロファイルを課すように、レーザエネルギー切除の順序を決定させ、該順序は、該第２セグメントプロファイルに対応する切除を適用する前に、該第１セグメントプロファイルに対応する切除を適用することを含む、
命令を含む、有形媒体を含む、プロセッサと、
該プロセッサと連結される眼修正アセンブリであって、該角膜に該切除プロファイルを課すよう、決定された順序のレーザエネルギーを該角膜に向かって方向付けるための切除レーザを含む、眼修正アセンブリと
を含む、システム。
（項目１０）
上記決定された順序は、該順序の終了時に、上記第２セグメントプロファイルに対応する切除を適用することを含む、項目９に記載のシステム。
（項目１１）
上記プロセッサと連結されるディスプレイをさらに含む、項目９に記載のシステム。
（項目１２）
上記命令はさらに、上記プロセッサに、上記ディスプレイ上に上記第１セグメントプロファイルを表示させる、項目１１に記載のシステム。
（項目１３）
上記命令はさらに、上記プロセッサに、上記ディスプレイ上に上記第２セグメントプロファイルを表示させる、項目１１に記載のシステム。
（項目１４）
上記命令はさらに、上記プロセッサに、上記ディスプレイ上に予測された最終角膜プロファイルを表示させる、項目１１に記載のシステム。
（項目１５）
上記第２セグメントプロファイルは、ゼルニケ多項式を使用して特徴付けられる、項目９に記載のシステム。
（項目１６）
角膜を有する眼の光学収差を治療するための方法であって、
該眼のための欠陥補正処方を定義する第１の複数の波面ゼルニケ係数を提供することと、
該第１の複数の係数を少なくとも第１サブセットと第２サブセットとに分割することであって、該第２サブセットは、高次係数を含む、ことと、
該第１サブセットに対応する第１切除プロファイルを決定することと、
該第２サブセットに対応する第２切除プロファイルを決定することと、
該角膜のレーザエネルギー切除の順序を決定することであって、該順序は、該第２切除プロファイルに対応する切除を適用する前に、該第１切除プロファイルに対応する切除を適用することを含む、ことと、
該欠陥補正処方を課すように、該決定された順序のレーザエネルギーを該角膜に向かって方向付けることによって、該角膜を再形成することと
を含む、方法。
（項目１７）
上記眼の光学収差の波面高度マップを生成することと、
該波面高度マップに近似する第２の複数の波面ゼルニケ係数を生成することと、
該第２の複数の係数に応じて、上記第１の複数の係数を決定することと
をさらに含む、項目１６に記載の方法。
（項目１８）
上記第１切除プロファイルまたは上記第２切除プロファイルのうちの少なくとも１つを表示することをさらに含む、項目１６に記載の方法。
（項目１９）
上記第２切除プロファイルに対応する切除は、上記順序の終了時に適用される、項目１６に記載の方法。
（項目２０）
予測された最終角膜プロファイルを表示することをさらに含む、項目１６に記載の方法。
（項目２１）
角膜を有する眼に欠陥補正処方を課すためのシステムであって、
該眼の光学収差を測定するように構成される収差測定システムと、
該収差測定システムと連結されるプロセッサであって、実行された時に、該プロセッサに、
該眼のための該欠陥補正処方を生成するように、該測定された収差を処理させ、
該欠陥補正処方に対応するプロファイルを決定させ、
該プロファイルを少なくとも第１セグメントプロファイルと第２セグメントプロファイルとに分割させ、該第２セグメントプロファイルは、該角膜に少なくとも１つの高次光学補正を課すためのレーザ改変に対応し、
該角膜に該プロファイルを課すように、レーザエネルギーの順序を決定させ、該第２セグメントプロファイルに対応する改変を適用する前に、該第１セグメントプロファイルに対応する改変を適用することを含む、
命令を含む、有形媒体を含む、プロセッサと、
該プロセッサと連結される眼修正アセンブリであって、該角膜に該プロファイルを課すように、該決定された順序のレーザエネルギーを該角膜に向かって方向付けるためのレーザを含む、眼修正アセンブリと
を含む、システム。